(57)【特許請求の範囲】
【請求項１】
ロングタームエボリューション（ＬＴＥ）ネットワークにおける測定シグナルを減少する方法であって、
ｅＮＢ（ｅｖｏｌｖｅｄ  Ｎｏｄｅ  Ｂ）は、報告された隣接セルの物理セル識別子を含む測定結果を受信し、前記測定結果における隣接セルの物理セル識別子を進化型セルグローバル識別子（ＥＣＧＩ）にマッピングし、マッピングが失敗した隣接セルの物理セル識別子を確定し送信することを含み、
前記ｅＮＢがマッピングが失敗した隣接セルの物理セル識別子を確定し送信することは、
前記マッピングが失敗した隣接セルの物理セル識別子を未知の隣接セルの物理セル識別子に確定し、かつ未知の隣接セルの物理セル識別子リストに記録することと、
未知の隣接セルの物理セル識別子リストを測定対象におけるブラックセル加算モジュロリスト(Ｂｌａｃｋ  Ｃｅｌｌｓ  Ｔｏ  Ａｄｄ  Ｍｏｄ  Ｌｉｓｔ)情報エレメントに書き込むことと、
前記情報エレメントを含む無線リソース制御プロトコル接続再設定（ＲＲＣ  Ｃｏｎｎｅｃｔｉｏｎ  Ｒｅｃｏｎｆｉｇｕｒａｔｉｏｎ）メッセージを送信することとを含む方法。
【請求項２】
前記ｅＮＢが前記測定結果における隣接セルの物理セル識別子をＥＣＧＩにマッピングすることは、
物理セルのマッピング規則を取得し、前記物理セルのマッピング規則に応じて、隣接セルの物理セル識別子を進化型セルグローバル識別子（ＥＣＧＩ）にマッピングし、前記ＥＣＧＩは切替先セルを確定することに用いられることを含む
請求項１に記載の方法。
【請求項３】
ロングタームエボリューション（ＬＴＥ）ネットワークにおける測定シグナルを減少する方法であって、
ユーザー装置（ＵＥ）は、サービングセルと隣接セルの信号強度測定を行い、その測定結果を報告し、ｅＮＢによって前記測定結果における隣接セルの物理セル識別子がＥＣＧＩにマッピングされてから取得された、マッピングが失敗した隣接セルの物理セル識別子を前記ｅＮＢから受信した後、再度に測定して報告する場合、前記ＵＥは、前記マッピングが失敗した隣接セルの物理セル識別子に対応する隣接セルの物理セルを測定しないことを含む方法。
【請求項４】
前記ＵＥがその測定結果を報告することは、
セルの信号強度と隣接セルの物理セル識別子を含む測定報告（Ｍｅａｓｕｒｅｍｅｎｔ  Ｒｅｐｏｒｔ）メッセージを介して、測定結果を報告することを含む
請求項３に記載の方法。
【請求項５】
ロングタームエボリューション（ＬＴＥ）ネットワークにおける測定シグナルを減少する方法であって、
ＵＥは、サービングセルと隣接セルの信号強度測量を行い、その測定結果を報告することと、
ｅＮＢは、報告された隣接セルの物理セル識別子を含む測定結果を受信し、前記測定結果における隣接セルの物理セル識別子をＥＣＧＩにマッピングし、マッピングが失敗した隣接セルの物理セル識別子を確定し送信することと、
前記ＵＥは、前記マッピングが失敗した隣接セルの物理セル識別子を前記ｅＮＢから受信した後、再度に測定して報告する場合、前記マッピングが失敗した隣接セルの物理セル識別子に対応する隣接セルの物理セルを測定しないこととを含む方法。
【請求項６】
前記ｅＮＢが前記測定結果における隣接セルの物理セル識別子をＥＣＧＩにマッピングすることは、
物理セルのマッピング規則を取得し、前記物理セルのマッピング規則に応じて、隣接セルの物理セル識別子を進化型セルグローバル識別子（ＥＣＧＩ）にマッピングし、前記ＥＣＧＩは切替先セルを確定することに用いられることを含む
請求項５に記載の方法。
【請求項７】
前記ｅＮＢがマッピングが失敗した隣接セルの物理セル識別子を確定し送信することは、
前記マッピングが失敗した隣接セルの物理セル識別子を未知の隣接セルの物理セル識別子に確定し、未知の隣接セルの物理セル識別子リストに記録することと、
未知の隣接セルの物理セル識別子リストを測定対象におけるブラックセル加算モジュロリスト(Ｂｌａｃｋ  Ｃｅｌｌｓ  Ｔｏ  Ａｄｄ  Ｍｏｄ  Ｌｉｓｔ)情報エレメントに書き込むことと、
前記情報エレメントを含む無線リソース制御プロトコル接続再設定（ＲＲＣ  Ｃｏｎｎｅｃｔｉｏｎ  Ｒｅｃｏｎｆｉｇｕｒａｔｉｏｎ）メッセージを送信することとを含む
請求項５に記載の方法。
【請求項８】
前記ＵＥがその測定結果を報告することは、
セルの信号強度と隣接セルの物理セル識別子を含む測定報告（Ｍｅａｓｕｒｅｍｅｎｔ  Ｒｅｐｏｒｔ）メッセージを介して、測定結果を報告することを含む
請求項５に記載の方法。
【請求項９】
ｅＮＢ（ｅｖｏｌｖｅｄ  Ｎｏｄｅ  Ｂ）であって、
報告された隣接セルの物理セル識別子を含む測定結果を受信するように構成される第一受信ユニットと、
物理セルのマッピング規則を取得し、前記物理セルのマッピング規則に応じて、前記測定結果における隣接セルの物理セル識別子をＥＣＧＩにマッピングし、マッピングが失敗した隣接セルの物理セル識別子を確定するように構成される第一処理ユニットと、
マッピングが失敗した隣接セルの物理セル識別子を送信するように構成される第一送信ユニットとを備え、
前記第一処理ユニットがマッピングが失敗した隣接セルの物理セル識別子を確定することは、
前記マッピングが失敗した隣接セルの物理セル識別子を未知の隣接セルの物理セル識別子に確定し、かつ未知の隣接セルの物理セル識別子リストに記録し、未知の隣接セルの物理セル識別子リストを測定対象におけるブラックセル加算モジュロリスト(Ｂｌａｃｋ  Ｃｅｌｌｓ  Ｔｏ  Ａｄｄ  Ｍｏｄ  Ｌｉｓｔ)情報エレメントに書き込むことを含み、
前記第一送信ユニットがマッピングが失敗した隣接セルの物理セル識別子を送信することは、
無線リソース制御プロトコル接続再設定（ＲＲＣ  Ｃｏｎｎｅｃｔｉｏｎ  Ｒｅｃｏｎｆｉｇｕｒａｔｉｏｎ）メッセージを介して、マッピングが失敗した隣接セルの物理セル識別子を送信することを含む
ｅＮＢ。
【請求項１０】
前記ＥＣＧＩは切替先セルを確定することに用いられる
請求項９に記載のｅＮＢ。
【請求項１１】
ユーザー装置（ＵＥ）であって、
サービングセルと隣接セルの信号強度測量を行い、その測定結果を報告するように構成される第二送信ユニットと、
ｅＮＢによって前記測定結果における隣接セルの物理セル識別子がＥＣＧＩにマッピングされてから取得された、マッピングが失敗した隣接セルの物理セル識別子を前記ｅＮＢから受信するように構成される第二受信ユニットとを備え、
前記第二送信ユニットは、サービングセルと隣接セルの信号強度測量を再度に行い、その測定結果を報告し、再度に測定する場合、前記マッピングが失敗した隣接セルの物理セル識別子に対応する隣接セルの物理セルを測定しないように構成されるＵＥ。
【請求項１２】
前記第二送信ユニットが、サービングセルと隣接セルの信号強度測量を再度に行い、その測定結果を報告することは、
第二送信ユニットは、サービングセルと隣接セルの信号強度測量を再度に行う場合、第二受信ユニットが受信した前記マッピングが失敗した隣接セルの物理セル識別子に対応する隣接セルの物理セルを測定しなく、かつセルの信号強度、隣接セルの物理セル識別子及び隣接セルの信号強度を含む測定報告（Ｍｅａｓｕｒｅｍｅｎｔ  Ｒｅｐｏｒｔ）メッセージ介して、測定結果を報告することを含む
請求項１１に記載のＵＥ。
【請求項１３】
コンピュータ記憶媒体であって、
請求項１〜８のいずれか１項に記載のＬＴＥネットワークにおける測定シグナルを減少する方法を実行するためのコンピュータ実行可能命令を記憶しているコンピュータ記憶媒体。
【発明の詳細な説明】
【技術分野】
【０００１】
本発明は、移動通信領域におけるシグナル測定処理技術に関し、特にロングタームエボリューション（ＬＴＥ：Ｌｏｎｇ  Ｔｅｒｍ  Ｅｖｏｌｕｔｉｏｎ）ネットワークにおける測定シグナルを減少する方法、装置、システム及び記憶媒体に関する。
【背景技術】
【０００２】
ＬＴＥネットワークにおいて、進化型基地局（ｅＮＢ：ｅｖｏｌｖｅｄ  Ｎｏｄｅ  Ｂ）における一般的なモバイル管理ポリシーとして、サービングセルとそのサービングセルの隣接セルとの信号差（ｓｉｇｎａｌ  ｄｉｆｆｅｒｅｎｃｅ）に応じて、ユーザー装置（ＵＥ：Ｕｓｅｒ  Ｅｑｕｉｐｍｅｎｔ）の切替を判定する。ここで、いわゆるサービングセルは、ＵＥが現在にアクセスしているセルである。
【０００３】
通常、ＬＴＥセルの境界において、その他のＬＴＥセルのシグナルと重畳されるカバレッジ領域が存在している。ＵＥがサービングセルの中心からサービングセルの境界へ移動される時、サービングセルのシグナルが徐々に弱くなり、サービングセルの隣接セルのシグナルが徐々に強くなる。サービングセルと隣接セルのシグナルが予め設定された閾値を満たした後、ｅＮＢは、ＵＥを隣接セルへ切替えて、元サービングセルの隣接セルをＵＥの新しいサービングセルとして、該当ＵＥにサービスを提供する。
【０００４】
一般的に、ｅＮＢは、サービングセルへの切替を判定する前、接続状態の測定メカニズムにより、ＵＥのサービングセル及びその隣接セルのシグナルの状況を取得する必要がある。ｅＮＢは、接続される状態にあるＵＥの測定動作を制御し処理することができ、例えば、ＵＥの測定設定などを増加、削除、又は修正することができる。具体的には、ｅＮＢは、Ｕｕインタフェースにおける無線リソース制御プロトコル接続再設定（ＲＲＣ  Ｃｏｎｎｅｃｔｉｏｎ  Ｒｅｃｏｎｆｉｇｕｒａｔｉｏｎ）メッセージを介して、ＵＥがサービングセルや隣接セルの測定し、及びその測定結果を報告するように、ＵＥを設定する。ＵＥは、ｅＮＢの測定設定に応じて、サービングセルや隣接セルの測定を実行する。測定設定におけるトリガー条件を満たした後、ＵＥは、Ｕｕインタフェースにおける測定報告（Ｍｅａｓｕｒｅｍｅｎｔ  Ｒｅｐｏｒｔ）メッセージを介して、測定結果をｅＮＢへ報告する。ｅＮＢは、ＵＥからの測定報告結果に応じて、例えば、ＵＥの他のセルへの切替などのポリシーを決定する。ここで、Ｕｕインタフェースは、ＵＥとＥ−ＵＴＲＡＮとの間のエアインターフェースである。
【０００５】
ＬＴＥネットワークにおいて、ｅＮＢは、サービングセルと隣接セルとのシグナルの相対的変化状況を示すために、ＵＥとマッチングされた測定イベント、例えばＡ３測定イベント（Mn+Ofn+Ocn-Hys>Ms+Ofs+Ocs+Off）をＵＥに設定することができる。ここで、Ｍｎは隣接セルのシグナルの測定結果であり、Ｏｆｎは隣接セル周波数の周波数オフセットであり、Ｏｃｎは隣接セルの個別オフセットであり、Ｈｙｓはヒステリシスパラメータであり、Ｍｓはサービングセルのシグナルの測定結果であり、Ｏｆｓはサービングセルの周波数オフセットであり、Ｏｃｓは個別オフセットであり、Ｏｆｆはイベント閾値である。ＵＥは、サービングセルと隣接セルの測定結果を検出して、前記イベントの条件を満たすかどうかを評価する。満たす場合、測定の報告をトリガーする。ＵＥは、測定イベントを評価する時、測定キャリア対象の隣接セルリストによって指示されるセル（即ちリストセル）と測定キャリア対象の隣接セルリストによって指示されないセル（即ち検出セル）をイベント評価に用いられる。ＵＥは、リストセルでも検出セルでも、測定イベントにおけるトリガー条件を満たすだけで、測定報告（Ｍｅａｓｕｒｅｍｅｎｔ  Ｒｅｐｏｒｔ）メッセージを介して、測定結果をｅＮＢへ送信する。Ｍｅａｓｕｒｅｍｅｎｔ  Ｒｅｐｏｒｔメッセージは、サービングセルのシグナルの測定結果、隣接セルの物理セル識別子及びシグナル測定結果を含む。
【０００６】
切替を目的とする測定イベントに対して、ｅＮＢは、測定報告における隣接セルの物理セル識別子のみに応じて、切替先セルを正確に位置決めることができない。ｅＮＢは、隣接セルの物理セル識別子をモバイル国家コード、モバイルネットワークコード及びセル識別子を含む進化型セルグローバル識別子（ＥＣＧＩ：Ｅｖｏｌｖｅｄ  Ｃｅｌｌ  Ｇｌｏｂａｌ  Ｉｄｅｎｔｉｆｉｅｒ）情報にマッピングすることによって、切替先セルを確定する。ＵＥがすべての検出セルを測定報告メッセージを介してｅＮＢへ送信する場合、ｅＮＢは、切替先セルを確定する際、隣接セルの物理セル識別子をＥＣＧＩにマッピングしている過程中に失敗する可能性がある。例えば、該当物理セルのマッピング規則が確定されない即ち隣接セル関係が設定されないため、該当測定処理が失敗することがある。
【０００７】
従来技術に対して、ＬＴＥシステムにおいてマッピング規則即ちセル間の隣接セル関係を設定することは、複雑、苦労、且つ誤りやすい作業であり、隣接セルの設定を漏れる場合が多い。一方、実際の商用シーンにおけるネットワーク環境が複雑なので、セルのシグナルのカバレッジは調整の可能性があり、隣接セル関係を設定する難度が高くなる。このため、切替測定処理が失敗することは、ネットワークにおける共通の課題となり、ネットワークにおける多く無効エアインターフェースの測定シグナルによるインタラクティブを引き起こすことがある。
【０００８】
従来から、隣接セル関係の自動設定技術は、以上の課題を解決することができるが、ＵＥとｅＮＢが共に、隣接セル関係の設定関連技術をサポートしている必要がある。しかしながら、従来の標準において、隣接セル関係の設定技術は強制に要求されず、オプション機能である。このため、すべてのＵＥとｅＮＢが共に、隣接セル関係の設定関連技術をサポートしていることを確保することができない。ＵＥが隣接セル自動関連に関する技術をサポートしても、ＵＥは、隣接セル関係の自動設定関連技術による測定を実行する際、端末の他のサービス機能に影響を与えることを回避することができない。このため、ネットワークオペレータは、自身の要求に応じて、特定の時期と特定の領域に自動隣接セル関係機能を開始することができる。
【発明の概要】
【発明が解決しようとする課題】
【０００９】
これを鑑みて、本発明の実施例の主な目的は、ＬＴＥネットワークにおける測定シグナルを減少する方法、装置、システム及び記憶媒体を提供して、ネットワークにおける未知な物理セルによってトリガーされた測定報告を減少し、エアインタフェースリソースを節約することができることにある。
【課題を解決するための手段】
【００１０】
前記目的を実現するために、本発明の実施例の技術案は以下のように実現される。
【００１１】
本発明の実施例は、ロングタームエボリューション（ＬＴＥ）ネットワークにおける測定シグナルを減少する方法を提供し、前記方法は、
報告された隣接セルの物理セル識別子を含む測定結果を受信し、前記隣接セルの物理セル識別子に対してマッピングを行い、マッピングが失敗した隣接セルの物理セル識別子を確定し送信することを含む。
【００１２】
好ましくは、前記隣接セルの物理セル識別子に対してマッピングを行うことは、物理セルのマッピング規則を取得し、前記物理セルのマッピング規則に応じて、隣接セルの物理セル識別子を進化型セルグローバル識別子（ＥＣＧＩ）にマッピングし、前記ＥＣＧＩは切替先セルを確定することに用いられることを含む。
【００１３】
好ましくは、前記マッピングが失敗した隣接セルの物理セル識別子を確定し送信することは、
前記マッピングが失敗した隣接セルの物理セル識別子を未知の隣接セルの物理セル識別子に確定し、かつ未知の隣接セルの物理セル識別子リストに記録することと、
未知の隣接セルの物理セル識別子リストを測定対象におけるブラックセル加算モジュロリスト（Ｂｌａｃｋ  Ｃｅｌｌｓ  Ｔｏ  Ａｄｄ  Ｍｏｄ  Ｌｉｓｔ）情報エレメントに書き込むことと、
前記情報エレメントを含む無線リソース制御プロトコル接続再設定（ＲＲＣ  Ｃｏｎｎｅｃｔｉｏｎ  Ｒｅｃｏｎｆｉｇｕｒａｔｉｏｎ）メッセージを送信することとを含む。
【００１４】
本発明の実施例はまた、ロングタームエボリューション（ＬＴＥ）ネットワークにおける測定シグナルを減少する方法を提供し、前記方法は、
サービングセルと隣接セルの信号強度測定を行い、その測定結果を報告し、マッピングが失敗した隣接セルの物理セル識別子を受信した後、再度に測定して報告する場合、前記マッピングが失敗した隣接セルの物理セル識別子に対応する隣接セルの物理セルを測定しないことを含む。
【００１５】
好ましくは、前記その測定結果を報告することは、
セルの信号強度と隣接セルの物理セル識別子を含む測定報告（Ｍｅａｓｕｒｅｍｅｎｔ  Ｒｅｐｏｒｔ）メッセージを介して、測定結果を報告することを含む。
【００１６】
本発明の実施例はまた、ロングタームエボリューション（ＬＴＥ）ネットワークにおける測定シグナルを減少する方法を提供し、前記方法は、
サービングセルと隣接セルの信号強度測量を行い、その測定結果を報告することと、
報告された隣接セルの物理セル識別子を含む測定結果を受信し、前記隣接セルの物理セル識別子に対してマッピングを行い、マッピングが失敗した隣接セルの物理セル識別子を確定し送信することと、
マッピングが失敗した隣接セルの物理セル識別子を受信した後、再度に測定して報告する場合、前記マッピングが失敗した隣接セルの物理セル識別子に対応する隣接セルの物理セルを測定しないことを含む
好ましくは、前記隣接セルの物理セル識別子に対してマッピングを行うことは、物理セルのマッピング規則を取得し、前記物理セルのマッピング規則に応じて、隣接セルの物理セル識別子を進化型セルグローバル識別子（ＥＣＧＩ）にマッピングし、前記ＥＣＧＩは切替先セルを確定することに用いられることを含む。
【００１７】
好ましくは、前記マッピングが失敗した隣接セルの物理セル識別子を確定し送信することは、前記マッピングが失敗した隣接セルの物理セル識別子を未知の隣接セルの物理セル識別子に確定し、未知の隣接セルの物理セル識別子リストに記録することと、未知の隣接セルの物理セル識別子リストを測定対象におけるブラックセル加算モジュロリスト（Ｂｌａｃｋ  Ｃｅｌｌｓ  Ｔｏ  Ａｄｄ  Ｍｏｄ  Ｌｉｓｔ）情報エレメントに書き込むことと、前記情報エレメントを含む無線リソース制御プロトコル接続再設定（ＲＲＣ  Ｃｏｎｎｅｃｔｉｏｎ  Ｒｅｃｏｎｆｉｇｕｒａｔｉｏｎ）メッセージを送信することとを含む。
【００１８】
好ましくは、前記その測定結果を報告することは、
セルの信号強度と隣接セルの物理セル識別子を含む測定報告（Ｍｅａｓｕｒｅｍｅｎｔ  Ｒｅｐｏｒｔ）メッセージを介して、測定結果を報告することを含む。
【００１９】
本発明の実施例はｅＮＢ（ｅｖｏｌｖｅｄ  Ｎｏｄｅ  Ｂ）を提供し、前記ｅＮＢは、
報告された隣接セルの物理セル識別子を含む測定結果を受信するように構成される第一受信ユニットと、
物理セルのマッピング規則を取得し、前記物理セルのマッピング規則に応じて、隣接セルの物理セル識別子に対してマッピングを行い、マッピングが失敗した隣接セルの物理セル識別子を確定するように構成される第一処理ユニットと、
マッピングが失敗した隣接セルの物理セル識別子を送信するように構成される第一送信ユニットとを備える。
【００２０】
好ましくは、第一処理ユニットは隣接セルの物理セル識別子に対してマッピングを行うことは、
第一処理ユニットは、前記物理セルのマッピング規則に応じて、隣接セルの物理セル識別子を進化型セルグローバル識別子（ＥＣＧＩ）にマッピングし、前記ＥＣＧＩは切替先セルを確定するに用いられることを含む。
【００２１】
好ましくは、前記第一送信ユニットがマッピングが失敗した隣接セルの物理セル識別子を送信することは、
第一送信ユニットは、無線リソース制御プロトコル接続再設定（ＲＲＣ  Ｃｏｎｎｅｃｔｉｏｎ  Ｒｅｃｏｎｆｉｇｕｒａｔｉｏｎ）メッセージを介して、マッピングが失敗した隣接セルの物理セル識別子を送信することを含む。
【００２２】
本発明の実施例はユーザー装置（ＵＥ）を提供し、前記ＵＥは、
サービングセルと隣接セルの信号強度測量を行い、その測定結果を報告するように構成される第二送信ユニットと、
マッピングが失敗した隣接セルの物理セル識別子を受信するように構成される第二受信ユニットとを備え、
前記第二送信ユニットは、サービングセルと隣接セルの信号強度測量を再度に行い、その測定結果を報告し、再度に測定する場合、前記マッピングが失敗した隣接セルの物理セル識別子に対応する隣接セルの物理セルを測定しないように構成される。
【００２３】
好ましくは、前記第二送信ユニットがサービングセルと隣接セルの信号強度測量を再度に行い、その測定結果を報告することは、
第二送信ユニットは、サービングセルと隣接セルの信号強度測量を再度に行う場合、第二受信ユニットが受信した前記マッピングが失敗した隣接セルの物理セル識別子に対応する隣接セルの物理セルを測定しなく、かつセルの信号強度、隣接セルの物理セル識別子及び隣接セルの信号強度を含む測定報告（Ｍｅａｓｕｒｅｍｅｎｔ  Ｒｅｐｏｒｔ）メッセージ介して、測定結果を報告することを含む。
【００２４】
本発明の実施例はまた、ロングタームエボリューション（ＬＴＥ）ネットワークにおける測定シグナルを減少するシステムを提供し、前記システムは、前記いずれか一つのｅＮＢおよび前記前記いずれか一つのＵＥを含む。
【００２５】
本発明の実施例はまた、コンピュータ記憶媒体を提供し、前記コンピュータ記憶媒体は、本発明の実施例に係るＬＴＥネットワークにおける測定シグナルを減少する方法を実行するためのコンピュータ実行可能命令を記憶している。
【００２６】
本発明の実施例はまた、コンピュータ記憶媒体を提供し、前記コンピュータ記憶媒体は、本発明の実施例に係るＬＴＥネットワークにおける測定シグナルを減少する他の方法を実行するためのコンピュータ実行可能命令を記憶している。
【００２７】
本発明の実施例はまた、コンピュータ記憶媒体を提供し、前記コンピュータ記憶媒体は、本発明の実施例に係るＬＴＥネットワークにおける測定シグナルを減少する別の方法を実行するためのコンピュータ実行可能命令を記憶している。
【００２８】
本発明の実施例により提供されるＬＴＥネットワークにおける測定シグナルを減少する方法、装置、システム及び記憶媒体は、ＬＴＥ  ｅＮＢ側において、報告された隣接セルの物理セル識別子を含む測定結果を受信し、前記隣接セルの物理セル識別子に対してマッピングを行い、マッピングが失敗した隣接セルの物理セル識別子を確定し送信すること、ＬＴＥ  ＵＥ側において、サービングセルと隣接セルの信号強度測定を行い、測定結果を報告し、マッピングが失敗した隣接セルの物理セル識別子を受信した後、再度に測定して報告する場合、前記マッピングが失敗した隣接セルの物理セル識別子に対応する隣接セルの物理セルを測定しないことである。こうように、ネットワークにおける未知の物理セルによってトリガーされた測定報告を減少して、エアインタフェースリソースを節約することができる。そして、現在の測定モード及びプロトコルを変更しなくても、隣接セルの測定をサポートすることができ、自動隣接セル関係機能をサポートするようにＵＥとｅＮＢを強制する必要もない。
【図面の簡単な説明】
【００２９】
【図１】本発明の実施例に係るＬＴＥネットワークにおける測定シグナルを減少する方法のＬＴＥ  ｅＮＢ側の基本フローチャートである。
【図２】本発明の実施例に係るＬＴＥネットワークにおける測定シグナルを減少する方法ＬＴＥ  ｅＮＢ側の詳しいフローチャートである
【図３】本発明の実施例に係るＬＴＥネットワークにおける測定シグナルを減少するｅＮＢの構成を示す図である。
【図４】本発明の実施例に係るＬＴＥネットワークにおける測定シグナルを減少する方法ＬＴＥ  ＵＥ側のフローチャートである。
【図５】本発明の実施例におけるＬＴＥネットワークにおける測定シグナルを減少するＵＥの構成を示す図である。
【図６】本発明の実施例に係るＬＴＥネットワークにおける測定シグナルを減少する方法の基本フローチャートである。
【発明を実施するための形態】
【００３０】
本発明の実施例において、ＬＴＥ  ｅＮＢ側において、報告された隣接セルの物理セル識別子を含む測定結果を受信し、前記隣接セルの物理セル識別子に対してマッピングを行い、マッピングが失敗した隣接セルの物理セル識別子を確定し送信する。本発明の実施例において、ＬＴＥ  ＵＥ側において、サービングセルと隣接セルの信号強度測定を行い、その測定結果を報告し、マッピングが失敗した隣接セルの物理セル識別子を受信した後、再度に測定して報告する場合、前記マッピングが失敗した隣接セルの物理セル識別子に対応する隣接セルの物理セルを測定しない。
【００３１】
ここで、ｅＮＢは、測定報告（Ｍｅａｓｕｒｅｍｅｎｔ  Ｒｅｐｏｒｔ）メッセージを介して、セルの信号強度測定結果、隣接セルの物理セル識別子及び隣接セルの信号強度測定結果を受信する。
【００３２】
ｅＮＢは前記測定結果における隣接セルの物理セル識別子に対してマッピングを行うことは、受信した隣接セルの物理セル識別子を進化型セルグローバル識別子（ＥＣＧＩ）にマッピングすることと、マッピングが成功した場合、切替処理プロセスを開始することと、マッピングが失敗した場合、該当隣接セルの物理セル識別子を未知の隣接セルの物理セル識別子に確定し、該当未知の隣接セルの物理セル識別子を未知の隣接セルの物理セル識別子リストに記録し、未知の隣接セルの物理セル識別子リストを測定対象におけるブラックセル加算モジュロリスト（Ｂｌａｃｋ  Ｃｅｌｌｓ  Ｔｏ  Ａｄｄ  Ｍｏｄ  Ｌｉｓｔ）情報エレメントに書き込み、無線リソース制御プロトコル接続再設定（ＲＲＣ  Ｃｏｎｎｅｃｔｉｏｎ  Ｒｅｃｏｎｆｉｇｕｒａｔｉｏｎ）メッセージを再度に送信する場合、このメッセージに未知の隣接セルの物理セル識別子リストが書き込まれているＢｌａｃｋ  Ｃｅｌｌｓ  Ｔｏ  Ａｄｄ  Ｍｏｄ  Ｌｉｓｔ情報エレメントが含まれることを含む。ここで、前記未知の隣接セルの物理セル識別子リストが書き込まれているＢｌａｃｋ  Ｃｅｌｌｓ  Ｔｏ  Ａｄｄ  Ｍｏｄ  Ｌｉｓｔ情報エレメントを含むＲＲＣ  Ｃｏｎｎｅｃｔｉｏｎ  Ｒｅｃｏｎｆｉｇｕｒａｔｉｏｎメッセージを送信することによって、マッピングが失敗した隣接セルの物理セル識別子を送信する。
【００３３】
それに応じて、ＵＥは、自身が保存している測定設定に応じて、サービングセルと隣接セルの信号強度測定を行い、その測定結果を報告する。ここで、測定結果は、セルの信号強度、隣接セルの物理セル識別子及び隣接セルの信号強度を含む。
【００３４】
ＵＥは、ＲＲＣ  Ｃｏｎｎｅｃｔｉｏｎ  Ｒｅｃｏｎｆｉｇｕｒａｔｉｏｎメッセージという形態で送信された、マッピングが失敗した隣接セルの物理セル識別子を受信し、再度にセルの信号強度測定結果、隣接セルの物理セル識別子及び隣接セルの信号強度測定結果を含むＭｅａｓｕｒｅｍｅｎｔ  Ｒｅｐｏｒｔメッセージを介して、測定結果を報告し、且つ含まれている隣接セルの物理セル識別子には、前記マッピングが失敗した隣接セルの物理セル識別子が含まれない。
【００３５】
本発明の実施例におけるＬＴＥネットワークにおける測定シグナルを減少する方法のｅＮＢ側の基本フローチャートは、図１に示すように、以下のステップを含む。
【００３６】
ステップ１０１：報告された隣接セルの物理セル識別子を含む測定結果を受信する。
【００３７】
ここで、ｅＮＢは、Ｍｅａｓｕｒｅｍｅｎｔ  Ｒｅｐｏｒｔメッセージを介して、セルの信号強度測定結果、隣接セルの物理セル識別子及び隣接セルの信号強度測定結果を受信する。
【００３８】
ステップ１０２：前記隣接セルの物理セル識別子に対してマッピングを行う。
【００３９】
ここで、前記測定結果における隣接セルの物理セル識別子に対してマッピングを行うことは、具体的には、受信した隣接セルの物理セル識別子を切替先セルにマッピングする。
【００４０】
ステップ１０３：マッピングが失敗した隣接セルの物理セル識別子を確定し送信する。
【００４１】
具体的には、マッピングが成功した場合、切替処理プロセスを開始する。マッピングが失敗した場合、該当隣接セルの物理セル識別子を未知の隣接セルの物理セル識別子に確定し、該当未知の隣接セルの物理セル識別子を未知の隣接セルの物理セル識別子リストに記録し、未知の隣接セルの物理セル識別子リストを測定対象におけるＢｌａｃｋ  Ｃｅｌｌｓ  Ｔｏ  Ａｄｄ  Ｍｏｄ  Ｌｉｓｔ情報エレメントに書き込む。ＲＲＣ  Ｃｏｎｎｅｃｔｉｏｎ  Ｒｅｃｏｎｆｉｇｕｒａｔｉｏｎメッセージを再度に送信する場合、このメッセージは、未知の隣接セルの物理セル識別子リストが書き込まれているＢｌａｃｋ  Ｃｅｌｌｓ  Ｔｏ  Ａｄｄ  Ｍｏｄ  Ｌｉｓｔ情報エレメントを含むＲＲＣ  Ｃｏｎｎｅｃｔｉｏｎ  Ｒｅｃｏｎｆｉｇｕｒａｔｉｏｎメッセージである。ここで、未知の隣接セルの物理セル識別子リストが書き込まれているＢｌａｃｋ  Ｃｅｌｌｓ  Ｔｏ  Ａｄｄ  Ｍｏｄ  Ｌｉｓｔ情報エレメントを含むＲＲＣ  Ｃｏｎｎｅｃｔｉｏｎ  Ｒｅｃｏｎｆｉｇｕｒａｔｉｏｎメッセージを送信することによって、マッピングが失敗した隣接セルの物理セル識別子を送信する。
【００４２】
本発明の実施例ＬＴＥネットワークにおける測定シグナルを減少する方法のＬＴＥ  ｅＮＢ側の詳しいフローチャートは、図２に示すように、以下のステップを含む。
【００４３】
ステップ２０１：報告された隣接セルの物理セル識別子を含む測定結果を受信する。
【００４４】
ここで、ｅＮＢは、Ｍｅａｓｕｒｅｍｅｎｔ  Ｒｅｐｏｒｔメッセージを介して、セルの信号強度測定結果、隣接セルの物理セル識別子及び隣接セルの信号強度測定結果を受信する。
【００４５】
ステップ２０２：物理セルのマッピング規則を取得する。
【００４６】
ここで、ｅＮＢは、運用と保守センター（ＯＭＣ：Ｏｐｅｒａｔｏｒｓ  ａｎｄ  Ｍａｉｎｔｅｎａｎｃｅ  Ｃｅｎｔｅｒ）から、隣接セル関係設定を取得する。前記隣接セル関係設定が即ち物理セルのマッピング規則である。ｅＮＢはどのように運用と保守センターから隣接セル関係設定を取得することは従来技術なので、ここで詳細な説明を省略する。
【００４７】
ステップ２０３：前記隣接セルの物理セル識別子に対してマッピングを行う。
【００４８】
ここで、前記測定結果における隣接セルの物理セル識別子に対してマッピングを行うことは、具体的には、受信した隣接セルの物理セル識別子を切替先セルにマッピングすることである。
【００４９】
ステップ２０４：マッピングが失敗した隣接セルの物理セル識別子を確定し送信する。
【００５０】
具体的には、マッピングが成功した場合、切替処理プロセスを開始する。マッピングが失敗した場合、該当隣接セルの物理セル識別子を未知の隣接セルの物理セル識別子に確定し、該当未知の隣接セルの物理セル識別子を未知の隣接セルの物理セル識別子リストに記録し、未知の隣接セルの物理セル識別子リストを測定対象におけるＢｌａｃｋ  Ｃｅｌｌｓ  Ｔｏ  Ａｄｄ  Ｍｏｄ  Ｌｉｓｔ情報エレメントに書き込む。ＲＲＣ  Ｃｏｎｎｅｃｔｉｏｎ  Ｒｅｃｏｎｆｉｇｕｒａｔｉｏｎメッセージを再度に送信する場合、このメッセージは、Ｂｌａｃｋ  Ｃｅｌｌｓ  Ｔｏ  Ａｄｄ  Ｍｏｄ  Ｌｉｓｔ情報エレメントを含むＲＲＣ  Ｃｏｎｎｅｃｔｉｏｎ  Ｒｅｃｏｎｆｉｇｕｒａｔｉｏｎメッセージである。ここで、未知の隣接セルの物理セル識別子リストが書き込まれているＢｌａｃｋ  Ｃｅｌｌｓ  Ｔｏ  Ａｄｄ  Ｍｏｄ  Ｌｉｓｔ情報エレメントを含むＲＲＣ  Ｃｏｎｎｅｃｔｉｏｎ  Ｒｅｃｏｎｆｉｇｕｒａｔｉｏｎメッセージを送信することによって、マッピングが失敗した隣接セルの物理セル識別子を送信する。
【００５１】
前記ＬＴＥネットワークにおける測定シグナルを減少する方法を実現するために、本発明の実施例はまた、ＬＴＥネットワークにおける測定シグナルを減少するｅＮＢを提供する。前記ＬＴＥネットワークにおける測定シグナルを減少するｅＮＢの構成は、図３に示すように、第一受信ユニット１１、第一処理ユニット１２及び第一送信ユニット１３を含む。
【００５２】
第一受信ユニット１１は、報告された隣接セルの物理セル識別子を含む測定結果を受信するように構成される。
【００５３】
第一処理ユニット１２は、物理セルのマッピング規則を取得し、前記物理セルのマッピング規則に応じて、隣接セルの物理セル識別子に対してマッピングを行い、マッピングが失敗した隣接セルの物理セル識別子を確定するように構成される。
【００５４】
第一送信ユニット１３、マッピングが失敗した隣接セルの物理セル識別子を送信するように構成される。
【００５５】
ここで、前記第一受信ユニット１１、第一処理ユニット１２及び第一送信ユニット１３は、実際の応用において、ｅＮＢ内にある中央演算処理装置（ＣＰＵ）、マイクロプロセシングユニット（ＭＰＵ）、ディジタル信号プロセッサ（ＤＳＰ）、又はフィールドプログラマブルゲートアレイ（ＦＰＧＡ）などにより実現されることができる。前記第一受信ユニット１１は受信機により実現されてもよいし、前記第一送信ユニット１３は送信機により実現されてもよい。
【００５６】
本発明の実施例におけるＬＴＥネットワークにおける測定シグナルを減少する方法のＵＥ側のフローチャートは、図４に示すように、以下のステップを含む。
【００５７】
ステップ３０１：サービングセルと隣接セルの信号強度測定を行い、その測定結果を報告する。
【００５８】
具体的には、ＵＥは、切替測定設定イベントの閾値を満たすセルを測定した場合、測定報告を送信する。セルの信号強度測定結果、隣接セルの物理セル識別子及び隣接セルの信号強度測定結果を含むＭｅａｓｕｒｅｍｅｎｔ  Ｒｅｐｏｒｔメッセージを送信する。測定設定に応じて、間隔の周期にＭｅａｓｕｒｅｍｅｎｔ  Ｒｅｐｏｒｔメッセージを複数回送信してもよい。
【００５９】
ステップ３０２：マッピングが失敗した隣接セルの物理セル識別子を受信した後、サービングセルと隣接セルの信号強度の測定を再度に行う場合、前記マッピングが失敗した隣接セルの物理セル識別子に対応する隣接セルの物理セルを測定しない。
【００６０】
具体的には、ＵＥが、マッピングが失敗した隣接セルの物理セル識別子を受信することは、未知の隣接セルの物理セル識別子リストが書き込まれているＢｌａｃｋ  Ｃｅｌｌｓ  Ｔｏ  Ａｄｄ  Ｍｏｄ  Ｌｉｓｔ情報エレメントを含むＲＲＣ  Ｃｏｎｎｅｃｔｉｏｎ  Ｒｅｃｏｎｆｉｇｕｒａｔｉｏｎメッセージを受信することであり、前記未知の隣接セルの物理セル識別子リストにマッピングが失敗した隣接セルの物理セル識別子が記録されている。
【００６１】
ＵＥは、自身の測定設定に応じて、サービングセルと隣接セルの信号強度測定を再度に行い、Ｍｅａｓｕｒｅｍｅｎｔ  Ｒｅｐｏｒｔメッセージを介して、測定結果を報告する。ここで、サービングセルと隣接セルの信号強度測定を再度に行う場合、第二受信ユニットは、受信した前記マッピングが失敗した隣接セルの物理セル識別子に対応する隣接セルの物理セルを測定しない。
【００６２】
前記ＬＴＥネットワークにおける測定シグナルを減少する方法を実現するために、本発明の実施例はまた、ＬＴＥネットワークにおける測定シグナルを減少するＵＥを提供する。図５に示すように、前記ＬＴＥネットワークにおける測定シグナルを減少するＵＥは、第二送信ユニット２１及び第二受信ユニット２２を含む。
【００６３】
第二送信ユニット２１は、サービングセルと隣接セルの信号強度測定を行い、その測定結果を報告するように構成される。
【００６４】
第二受信ユニット２２は、マッピングが失敗した隣接セルの物理セル識別子を受信するように構成される。
【００６５】
第二送信ユニット２１は、さらに、サービングセルと隣接セルの信号強度測定を再度に行い、その測定結果を報告し、且つ報告される測定結果に前記マッピングが失敗した隣接セルの物理セル識別子を含まないように構成される。
【００６６】
ここで、前記第二送信ユニット２１と第二受信ユニット２２は、実際の応用において、ＵＥ内にあるＣＰＵ、ＭＰＵ、ＤＳＰ、又はＦＰＧＡにより実現されることができる。前記第二受信ユニット２２は受信機により実現されてもよいし、前記第二送信ユニット２１は送信機により実現されてもよい。
【００６７】
本発明の実施例はまた、前記ＬＴＥネットワークにおける測定シグナルを減少するシステムを提供する。図３に示す構成を含むｅＮＢと図５に示す構成を含むＵＥを備える。
【００６８】
前記システムを実現するために、本発明の実施例はまた、ＬＴＥネットワークにおける測定シグナルを減少する方法を提供する。図６に示すように、以下のステップを含む。
【００６９】
ステップ４０１：ｅＮＢはＵＥへＲＲＣ  Ｃｏｎｎｅｃｔｉｏｎ  Ｒｅｃｏｎｆｉｇｕｒａｔｉｏｎメッセージを送信する。
【００７０】
具体的には、ｅＮＢがＵＥへ送信したＲＲＣ  Ｃｏｎｎｅｃｔｉｏｎ  ＲｅｃｏｎｆｉｇｕｒａｔｉｏｎメッセージにはＭｅａｓ  Ｃｏｎｆｉｇ情報エレメントが含まれる。該当Ｍｅａｓ  Ｃｏｎｆｉｇ情報エレメントは、ＵＥに測定対象、報告設定及び測定識別子を含む切替測定設定を設定することに用いられる。
【００７１】
ステップ４０２：ＵＥは、ＲＲＣ  Ｃｏｎｎｅｃｔｉｏｎ  Ｒｅｃｏｎｆｉｇｕｒａｔｉｏｎメッセージを受信した後、測定設定を更新し、ｅＮＢへＲＲＣ  Ｃｏｎｎｅｃｔｉｏｎ  Ｒｅｃｏｎｎｅｃｔｉｏｎ  Ｒｅｃｏｎｆｉｇｕｒａｔｉｏｎ  Ｃｏｍｐｌｅｔｅメッセージを返信する。
【００７２】
ステップ４０３：ＵＥは、更新された測定設定に応じて、サービングセルと隣接セルの測定を実行し報告する。
【００７３】
具体的には、ＵＥは、更新された測定設定に応じて、サービングセル又は隣接セルの信号強度測定を実行する。切替測定設定イベントの閾値を満たすセルを測定した場合、測定報告を送信する。測定したサービングセルの信号強度、隣接セルの物理セル識別子及び隣接セルの信号強度をＭｅａｓｕｒｅｍｅｎｔ  Ｒｅｐｏｒｔメッセージを介して、ｅＮＢへ送信する。測定設定に応じて、間隔の周期にｅＮＢへＭｅａｓｕｒｅｍｅｎｔ  Ｒｅｐｏｒｔメッセージを複数回送信してもよい。
【００７４】
ステップ４０４：ｅＮＢは、運用と保守センターから物理セルのマッピング規則を取得する。
【００７５】
具体的には、隣接セル関係設定が物理セルのマッピング規則である。ｅＮＢはどのように運用と保守センターから隣接セル関係設定を取得するのは従来技術なので、ここで詳細な説明を省略する。
【００７６】
ステップ４０５：ｅＮＢは、ＵＥから報告されたＭｅａｓｕｒｅｍｅｎｔ  Ｒｅｐｏｒｔメッセージを処理する。
【００７７】
具体的には、ｅＮＢは、ＵＥが測定報告した隣接セルの物理セル識別子を切替先セルにマッチングする。マッチングが成功した場合、切替処理プロセスを開始し、本処理が完了する。マッピングが失敗した場合、ステップ４０６を実行する。
【００７８】
ステップ４０６：ｅＮＢは、切替不可セルの測定結果に対応する隣接セルの物理セル識別子をＵＥへ送信する。
【００７９】
具体的には、ｅＮＢは、ＵＥから報告された測定結果に応じて、切替先セルへ切替することができない場合、該当隣接セルの物理セル識別子のマッピングが失敗することは明らかである。該当隣接セルの物理セル識別子を未知の隣接セルの物理セル識別子に確定し、該当未知の隣接セルの物理セル識別子を未知の隣接セルの物理セル識別子リストに記録し、未知の隣接セルの物理セル識別子リストを測定対象におけるＢｌａｃｋ  Ｃｅｌｌｓ  Ｔｏ  Ａｄｄ  Ｍｏｄ  Ｌｉｓｔ情報エレメントに書き込む。ＲＲＣ  Ｃｏｎｎｅｃｔｉｏｎ  Ｒｅｃｏｎｆｉｇｕｒａｔｉｏｎメッセージを再度に送信する場合、未知の隣接セルの物理セル識別子リストが書き込まれているＢｌａｃｋ  Ｃｅｌｌｓ  Ｔｏ  Ａｄｄ  Ｍｏｄ  Ｌｉｓｔ情報エレメントを含むＲＲＣ  Ｃｏｎｎｅｃｔｉｏｎ  ＲｅｃｏｎｆｉｇｕｒａｔｉｏｎメッセージをＵＥへ送信する。
【００８０】
ステップ４０７：ＵＥは、ＲＲＣ  Ｃｏｎｎｅｃｔｉｏｎ  Ｒｅｃｏｎｆｉｇｕｒａｔｉｏｎメッセージを受信した後、測定設定を再度に更新する。再度に測定して報告する場合、前記マッピングが失敗した隣接セルの物理セル識別子に対応する隣接セルの物理セルを測定しない。
【００８１】
具体的には、ＵＥは、ＲＲＣ  Ｃｏｎｎｅｃｔｉｏｎ  Ｒｅｃｏｎｆｉｇｕｒａｔｉｏｎメッセージを受信した後、Ｂｌａｃｋ  Ｃｅｌｌｓ  Ｔｏ  Ａｄｄ  Ｍｏｄ  Ｌｉｓｔ情報エレメントを更新し、ＲＲＣ  Ｃｏｎｎｅｃｔｉｏｎ  Ｒｅｃｏｎｎｅｃｔｉｏｎ  Ｒｅｃｏｎｆｉｇｕｒａｔｉｏｎ  ＣｏｍｐｌｅｔｅメッセージをｅＮＢへ返信する。ＵＥは、測定を再度に実行する際、Ｂｌａｃｋ  Ｃｅｌｌｓ  Ｔｏ  Ａｄｄ  Ｍｏｄ  Ｌｉｓｔにおける物理セル識別子に対応するセルは、測定イベントの報告の適合なセルとして測定イベントの報告をトリガーすることがない。
【００８２】
本発明の実施例において、ソフトウェア機能モジュールの形態により、前記ＬＴＥネットワークにおける測定シグナルを減少する方法を実現され、かつ別の製品として発売や使用する場合、一つのコンピュータ読取可能記憶媒体に記憶されることができる。このような理解に基づいて、本発明の実施例に係る技術案において、従来技術に貢献する又は本質の部分はソフトウェア製品の形態により体現されることができる。該当コンピュータソフトウェア製品が一つの記憶媒体に記憶され、いくつかの命令を含む。これらの命令は、一台コンピュータ装置（パーソナルコンピュータ、サーバー、又はネットワーク装置などであってもよい）が本発明の各実施例における前記方法の全部又は一部を実行することができる。前記記憶媒体は、フラッシュメモリー、リムーバブルハードディスク、読み取り専用メモリ（ＲＯＭ：Ｒｅａｄ  Ｏｎｌｙ  Ｍｅｍｏｒｙ）、フレキシブルディスク又は光ディスクなどのプログラムコード記録可能な各種媒体を含む。こうように、本発明の実施例は、任意の特定ソフトウェアとハードウェアの組合に限定されない。
【００８３】
それに応じて、本発明の実施例はまた、コンピュータ記憶媒体を提供する。前記コンピュータ記憶媒体にはコンピュータ実行可能命令が記憶されている。該当コンピュータ実行可能命令は、本発明の実施例に係る前記ＬＴＥネットワークにおける測定シグナルを減少する方法を実行することに用いられる。
【００８４】
本発明の実施例はまた、その他のコンピュータ記憶媒体を提供する。前記コンピュータ記憶媒体にはコンピュータ実行可能命令が記憶されている。該当コンピュータ実行可能命令は、本発明の実施例に係るその他の前記ＬＴＥネットワークにおける測定シグナルを減少する方法を実行することに用いられる。
【００８５】
本発明の実施例はまた、別のコンピュータ記憶媒体を提供する。前記コンピュータ記憶媒体にはコンピュータ実行可能命令が記憶されている。該当コンピュータ実行可能命令は、本発明の実施例に係る別の前記ＬＴＥネットワークにおける測定シグナルを減少する方法を実行することに用いられる。
【００８６】
以上は、本発明の最適的な実施例に過ぎなく、本発明の保護範囲を限定するものではない。
【図１】
0006313862.tif 000002
【図２】
0006313862.tif 000003
【図３】
0006313862.tif 000004
【図４】
0006313862.tif 000005
【図５】
0006313862.tif 000006
【図６】
0006313862.tif 000007